(57)【特許請求の範囲】
【請求項１】
ボールペン先部（11）を一端（１ａ）に有するペン本体（１）と、該ペン本体（１）に一端（１ａ）側から被せて装着可能なキャップ体（２）と、を備え、上記ペン本体（１）は、内部に、照明器（31）と該照明器（31）に電力を供給するための蓄電池（Ｂ）とを有し、さらに、上記ボールペン先部（11）の近傍に、上記照明器（31）からの照明光を上記ペン本体（１）の外部に透過させるための光透過部（32）を有するボールペンに於て、
上記ペン本体（１）の他端（１ｂ）にタッチペン先部（12）を設けると共に、上記蓄電池（Ｂ）の陽極及び陰極の一方に通電可能に接続されると共に雄ネジ部（61ｄ）を有する第１端子部（51）と、上記蓄電池（Ｂ）の陽極及び陰極の他方に通電可能に接続された第２端子部（52）とを、上記タッチペン先部（12）の近傍に設け、
上記ペン本体（１）の上記他端（１ｂ）側から上記キャップ体（２）を被せて上記一端（１ａ）側へスライドさせることで、上記キャップ体（２）の奥部（２ｂ）側に設けられると共に雌ネジ部（60ｄ）を有する接触子（28）が、上記第１端子部（51）に当接し、上記接触子（28）と上記第１端子部（51）の当接状態で上記キャップ体（２）を回転させることで、上記接触子（28）の上記雌ネジ部（60ｄ）が、上記第１端子部（51）の上記雄ネジ部（61ｄ）に螺合し、上記キャップ体（２）を螺進させることで、上記第１端子部（51）と螺合状態の上記接触子（28）が上記第２端子部（52）に接触して通電し、上記照明器（31）が点灯するように構成したことを特徴とするボールペン。
【請求項２】
上記第１端子部（51）に上記接触子（28）が当接してから、上記キャップ体（２）を４分の１回転乃至１回転半だけ回転させて螺進させることで、上記接触子（28）が上記第２端子部（52）に接触して、通電するように構成した請求項１記載のボールペン。
【請求項３】
上記接触子（28）は、上記雌ネジ部（60ｄ）と雌ネジ開口側端面（60ａ）を有し、
上記第１端子部（51）は、上記雄ネジ部（61ｄ）を有する円形状芯部材（61）から成り、
上記第２端子部（52）は、上記円形状芯部材（61）に絶縁層（90）を介して外嵌状に配設される円筒状部材（62）から成り、
上記円筒状部材（62）の端面（62ａ）を、上記円形状芯部材（61）の端面（61ａ）よりも上記一端（１ａ）側に配設し、
上記接触子（28）の上記雌ネジ部（60ｄ）が上記円形状芯部材（61）の上記雄ネジ部（61ｄ）に螺合すると共に、上記接触子（28）の上記雌ネジ開口側端面（60ａ）が上記円筒状部材（62）の端面（62ａ）に接触して、通電するように構成した請求項１又は２記載のボールペン。
【発明の詳細な説明】
【技術分野】
【０００１】
本発明は、ボールペンに関する。
【背景技術】
【０００２】
従来、ボールペン先部を一端に有するペン本体と、ペン本体の一端側から被せて装着するキャップ体と、を備え、ペン本体の内部に、照明器と、照明器に電力を供給するための蓄電池と、を有し、さらに、ボールペン先部の近傍に、照明器からの照明光をペン本体の外部に透過させるための光透過部を有するライト付きのボールペンがあった（例えば、特許文献１参照）。
このようなライト付きボールペンは、ペン本体の他端に、照明器を点灯させるためのノック式スイッチ、又は、回動式スイッチを、設けていた。
【先行技術文献】
【特許文献】
【０００３】
【特許文献１】特開平１１−３４５７９号公報
【発明の概要】
【発明が解決しようとする課題】
【０００４】
しかし、従来のようなライト付きボールペンは、タッチパネルを有するタブレット型コンピュータやスマートフォンを操作するためのタッチペン先を他端に設けることができないという問題があった。つまり、ボールペンとは別にタッチペンを携帯する必要があった。
仮に、スイッチ端部にタッチペン先部を付設しても、タッチパネルに対して押圧や摺動させた際に、スイッチが誤操作されて照明器が点灯し、使用者に照射され使い勝手が悪いといった問題があった。
【０００５】
そこで、本発明は、ボールペンとペンライトとタッチペンの３つの機能を兼ね備えると共に使い勝手の良いボールペンの提供を目的とする。
【課題を解決するための手段】
【０００６】
上記目的を達成するために、本発明のボールペンは、ボールペン先部を一端に有するペン本体と、該ペン本体に一端側から被せて装着可能なキャップ体と、を備え、上記ペン本体は、内部に、照明器と該照明器に電力を供給するための蓄電池とを有し、さらに、上記ボールペン先部の近傍に、上記照明器からの照明光を上記ペン本体の外部に透過させるための光透過部を有するボールペンに於て、上記ペン本体の他端にタッチペン先部を設けると共に、上記蓄電池の陽極及び陰極の一方に通電可能に接続されると共に雄ネジ部を有する第１端子部と、上記蓄電池の陽極及び陰極の他方に通電可能に接続された第２端子部とを、上記タッチペン先部の近傍に設け、上記ペン本体の上記他端側から上記キャップ体を被せて上記一端側へスライドさせることで、上記キャップ体の奥部側に設けられると共に雌ネジ部を有する接触子が、上記第１端子部に当接し、上記接触子と上記第１端子部の当接状態で上記キャップ体を回転させることで、上記接触子の上記雌ネジ部が、上記第１端子部の上記雄ネジ部に螺合し、上記キャップ体を螺進させることで、上記第１端子部と螺合状態の上記接触子が上記第２端子部に接触して通電し、上記照明器が点灯するように構成したものである。
【０００７】
また、上記第１端子部に上記接触子が当接してから、上記キャップ体を４分の１回転乃至１回転半だけ回転させて螺進させることで、上記接触子が上記第２端子部に接触して、通電するように構成したものである。
また、上記接触子は、上記雌ネジ部と雌ネジ開口側端面を有し、上記第１端子部は、上記雄ネジ部を有する円形状芯部材から成り、上記第２端子部は、上記円形状芯部材に絶縁層を介して外嵌状に配設される円筒状部材から成り、上記円筒状部材の端面を、上記円形状芯部材の端面よりも上記一端側に配設し、上記接触子の上記雌ネジ部が上記円形状芯部材の上記雄ネジ部に螺合すると共に、上記接触子の上記雌ネジ開口側端面が上記円筒状部材の端面に接触して、通電するように構成したものである。
【発明の効果】
【０００８】
本発明によれば、ボールペンとペンライトとタッチペンの３つの機能を兼ね、ペンライトと、ボールペンと、タッチペンとを、夫々、個別に携帯する必要が無くなる。タッチペン先部をタッチパネルに押圧や摺接させる場合や、ボールペンで筆記している際に、不用意に照明器が点灯せず使い勝手が良い。ノック式スイッチや回動式スイッチが無いにも関わらず、キャップ体を被せてスライドさせた後に螺進させると照明器が点灯するため、購入予定者に興味をもたれやすくなって（従来のボールペンとの差別化ができ）、購買意欲を向上させることができる。
【図面の簡単な説明】
【０００９】
【図１】本発明の実施の一形態を示す半裁断面正面図である。
【図２】スライド開始状態を示す半裁断面正面図である。
【図３】接触子と第１端子部の当接状態を示す半裁断面正面図である。
【図４】接触子と第１端子部の当接状態を示す要部拡大端面図である。
【図５】螺進途中状態の要部拡大端面図である。
【図６】通電状態の要部拡大端面図である。
【図７】通電点灯状態の半裁断面正面図である。
【図８】図７のＡ−Ａ断面図である。
【発明を実施するための形態】
【００１０】
以下、図示の実施形態に基づき本発明のボールペンを詳説する。
本発明に係るボールペンは、図１に示すように、ボールペン先部11を一端１ａに有するペン本体１と、ペン本体１に一端１ａ側から被せて装着可能なキャップ体２と、を備えている。
【００１１】
ペン本体１は、円筒状のペンケーシング10の内部に、ＬＥＤ等の照明器31をボールペン先部11近傍に設けると共に、照明器31に電力を供給するためのボタン電池等の蓄電池Ｂを設けている。また、ペン本体１は、ボールペン先部11の近傍に、照明器31からの照明光をペン本体１（ペンケーシング10）の外部に透過させるための光透過部32を設けている。
【００１２】
つまり、ペン本体１は、蓄電池Ｂから照明器31に電力が供給されると、照明器31が点灯し、光透過部32を介して、ペン本体１の一端１ａ（ボールペン先部11）が向いた方向を照らすペンライトとしての機能を発揮するように構成している。
【００１３】
さらに、ペン本体１は、他端１ｂに、タッチパネルを操作可能な樹脂又はゴム製の先端丸山型のタッチペン先部12と、蓄電池Ｂの陽極に通電可能（電気的）に接続されると共に、タッチペン先部12の近傍でペンケーシング10から露出（突出）させた第１端子部51と、蓄電池Ｂの陰極に照明器31を介して通電可能（電気的）に接続されると共に、タッチペン先部12の近傍でペンケーシング10から露出（突出）させた第２端子部52と、を設けている。
そして、キャップ体２は、有底の奥部２ｂ側に通電用の接触子28を設けている。
【００１４】
第１端子部51は、平面視でタッチペン先部12を包囲するように（ペン軸心Ｌを中心として）同心円状に配設される円環状の端面61ａを有する導電性の円形状芯部材61の端部（先端部）から成る。円形状芯部材61は、端部の外周面に雄ネジ部61ｄを有している。
第２端子部52は、平面視で円形状芯部材61の端面61ａを包囲するように（ペン軸心Ｌを中心として）同心円状に配設される円環状の端面62ａを有する導電性の円筒状部材62の端部（先端部）から成る。
【００１５】
円筒状部材62は、その端面62ａを円形状芯部材61の端面61ａよりもペン本体１の一端１ａ側に設けると共に、円形状芯部材61に絶縁層90を介して外嵌状に配設している。
つまり、円形状芯部材61の端部を、円筒状部材62の端部よりもラジアル内方に配設すると共に他端１ｂ側へ突出させて、円形状芯部材61の端部と円筒状部材62の端部とでタケノコ状の接点用段差部50を形成している。また、タッチペン先部12は円形状芯部材61の端面61ａよりも（他端１ｂ側へ）突出している。
【００１６】
絶縁層90は、円形状芯部材61と円筒状部材62の間に、樹脂やゴム材等の絶縁性素材を成型や加工した部材を介装することで形成したもの、又は、シール剤等の絶縁性の流動剤を充填した後に固化させて形成したものである。
【００１７】
接触子28は、キャップ体２の奥部２ｂ側にキャップ開口側に向かって突設されると共に雌ネジ部60ｄを有する導電性の筒状部材（筒状部）60から成る。
筒状部材60は、平面視でペン軸心Ｌを中心として配設され、内周面に形成される雌ネジ部60ｄと、円環状の雌ネジ開口側端面60ａを有している。
キャップ体２は、筒状のキャップ周壁部20とキャプ奥壁部とを非導電性部材で形成し、キャップ奥壁部に導電性の筒状部材60を固着して導電性の円筒状接触子28を形成している。
【００１８】
そして、図２に示すように、ペン本体１の他端１ｂ側からキャップ体２を被せて、ペン本体１の一端１ａ側へスライド（直線運動）させると、図３及び図４に示すように、筒状部材60（接触子28）が、円形状芯部材61に当接して、一端１ａ側へのキャップ体２のスライドが規制される。図４に示すように、タッチペン先部12は筒状部材60に差し込まれる。
筒状部材60の雌ネジ部60ｄのネジ山が、円形状芯部材61の雄ネジ部61ｄのネジ山に当接して一端１ａ側へのスライドが規制（阻止）される。
【００１９】
図４の筒状部材60と円形状芯部材61の当接状態から、キャップ体２をペン軸心Ｌ廻りの一方向に回転させると、図５に示すように、筒状部材60の雌ネジ部60ｄと円形状芯部材61の雄ネジ部61ｄが螺合し、キャップ体２がペン本体１の一端１ａ側に螺進する。筒状部材60と円形状芯部材61は、図４の当接状態及び図５の螺進途中状態（螺合状態）において通電可能に電気的に接続している。
【００２０】
キャップ体２をさらに一方向に回転させて螺進させると、図６に示すように、円形状芯部材61と螺合状態の筒状部材60の雌ネジ開口側端面60ａが、円筒状部材62の端面（先端面）62ａに当接して、円形状芯部材61と円筒状部材62が筒状部材60を介して電気的に接続して通電し、図７に示すように、照明器31が点灯するように構成している。
【００２１】
また、筒状部材60が円形状芯部材61に当接してから（図４参照）、キャップ体２をペン軸心Ｌ廻りの一方向に４分の１回転（９０度）乃至１回転半（５４０度）だけ回転させることで、筒状部材60の端面60ａが円筒状部材62の端面62ａに当接して通電するように設けている（図６参照）。より好ましくは、半回転（１８０度）乃至１回転と４分の１回転（４５０度）だけ回転させることで、通電するように設ける。
下限値未満であると、筆記中にキャップ体２が回転して、照明器31が点灯する虞れがある。上限値を越えると、点灯させるまでの回転操作に時間がかかる。
【００２２】
ここで、図２に示すように、ペン本体１の他端１ｂ側からキャップ体２を被せて、キャップ体２の開口部近傍の内面に設けた非導電性の摩擦部材26と、ペンケーシング10の他端１ｂ側のスライド用外周面19（他端側外周面19Ｂ）と、が接触して、キャップ体２の摺接が開始するスライド開始位置（スライド開始状態）から、筒状部材60と円形状芯部材61が当接してキャップ体２のスライドが規制されるまでのスライド寸法Ｓ（スライド開始位置のキャップ体２の端面21から二点鎖線で示すスライド規制位置の端面21までのスライド可能ストローク寸法）を、２０ｍｍ以上６０ｍｍ以下に設定している。下限値未満であると、キャップ体２が不用意に外れる虞れがあり、上限値を越えると、キャップ体２やペン本体１が長くなって使い勝手が悪くなる。
【００２３】
また、摩擦部材26とスライド用外周面19との摩擦抵抗力は、キャップ体２の自重（荷重）よりも大きく設定している。また、ペン本体１の荷重よりも大きく設定している。つまり、スライド開始位置からスライド規制位置までの間で、キャップ体２を摺動させて所望の位置で停止可能であり、キャップ体２を上位置とした鉛直状姿勢や、ペン本体１を上位置とした鉛直状姿勢にしても、停止位置が保持されるように（キャップ体２とペン本体１が自重で相互に接近・離間しないように）構成している。
【００２４】
また、摩擦部材26は、図８に示すように、横断面において、キャップ体２の内周面22と、ペンケーシング10のスライド用外周面19の間の円環状の空間の６０％以上９５％以下を塞ぐように設けている。つまり、横断面においてペンケーシング10のスライド用外周面19の外周の６０％以上９５％以下を覆うように設けて、キャップ体２をペン本体１にスライドや螺進させる際に、ペン本体１とキャップ体２の間に閉じ込められて圧縮される空気を逃がすようにペン軸心Ｌ方向に沿った通気路25，25をペン軸心Ｌ回りに複数（図例では２つ）形成している。このように、形成することで、圧縮される空気がゆっくり抜けてスムーズにしっくりとキャップ体２をスライドや螺進させて装着でき、高級感を演出できる。
なお、図８に於て、ペンケーシング10内の構成（部品）は図示省略している。
【００２５】
また、図１に示すように、キャップ体２は、ペンケーシング10の中間部に外鍔状に設けたストッパ部13よりも一端１ａ側のスライド用外周面19（一端側外周面19Ａ）に摺接してボールペン先部11を保護するように装着可能であり、キャップ体２の端面21がストッパ部13に当接した一端側キャップ装着完了状態で、接触子28がペン本体１に接触しないように設けている。
また、一端側外周面19Ａと、他端側外周面19Ｂの外径寸法は同じであり、他端１ｂ側からのキャップ体２の装着と同様に、スムーズにしっくりと装着される。
また、キャップ体２を非透明部材（可視光線の透過率が５％未満）とすることで、接触子28が外部から見えず、どのような構造で、スライド規制や螺進による点灯が行われるのかが見えず、購買意欲やサプライズ効果を向上できる。
また、ペンケーシング10は、一端側外周面19Ａとストッパ部13と結合用雄ネジ部とを有する円筒状の第１ケース部材10Ａと、他端側外周面19Ｂと結合用雌ネジ部とを有する円筒状の第２ケース部材10Ｂと、を備え、第１ケース部材10Ａと第２ケース部材10Ｂとの螺着によって形成している。
【００２６】
ここで、第１端子部51と蓄電池Ｂとを通電可能に接続する電気的接続構造、第２端子部52と照明器31とを通電可能に接続する電気的接続構造、照明器31と蓄電池Ｂとを通電可能に接続する電気的接続構造を、図７を用いて説明する。
円形状芯部材61は、蓄電池Ｂに直接的に接続している。円筒状部材62は、導電性のペンケーシング10（の第１ケース部材10Ａ及び第２ケース部材10Ｂ）を介して、及び、円筒状部材62とペンケーシング10（の第１ケース部材10Ａ）に常時接触する導電性の位置調整用コイルバネ71と導電性のペンケーシング10（の第１ケース部材10Ａ）を介して照明器31に通電可能に接続している。照明器31は、ボールペン芯部材70の先端側に外嵌する第１導電性部材72と、ボールペン芯部材70の基端側に外嵌する第２導電性部材73と、ボールペン芯部材70の中間部を包囲すると共に第１導電性部材72と第２導電性部材73とに常時接触する導電性の導通用コイルバネ74と、を介して、蓄電池Ｂと通電（導通）可能に接続している。或いは、ボールペン芯部材70の外周壁を導電性材で形成してボールペン芯部材70を介して通電可能にするも良い。
また、ペン本体１は、蓄電池Ｂに外嵌状に取着する絶縁性ケース部材91と、第２導電性部材73に外嵌状に設けられる絶縁性包囲部材92と、第１導電性部材72とペンケーシング10（の第１ケース部材10Ａ）の間に設けられ照明器31を保護する絶縁性蓋部材93と、を有している。また、キャップ体２のキャップ周壁部20と摩擦部材26とは非導電性である。なお、第１端子部51を蓄電池Ｂの陰極に接続し、第２端子部52を蓄電池Ｂの陽極に接続するも良い。図示の電気的接続構造に限らず、ペン本体１は、第１端子部51を、照明器31を介して蓄電池Ｂに通電可能に接続する構造とするも良い。つまり、第１端子部51及び上記第２端子部52の少なくとも一方（一方又は両方）を、照明器31を介して上記蓄電池Ｂに通電可能に接続して設ければ良い。
【００２７】
次に、本発明に係るボールペンの作用（使用方法）について説明する。
タッチパネルを操作する場合は、図１に示すように、ペン本体１の一端１ａ側からキャップ体２を装着した状態で使用する。タッチペン先部12をタッチパネルに押圧や摺接させても照明器31が点灯せず使い勝手が良い。
【００２８】
そして、ボールペンとして筆記する場合は、図２に示すように、ペン本体１の他端１ｂ側からキャップ体２を被せ、スライド開始位置から一端１ａ側へスライド寸法Ｓだけスライドさせると、図３に示すように、接触子28が第１端子部51に当接して一端１ａ側へのスライドが規制される。このスライド規制状態で筆記する。筆記中にキャップ体２が動いても照明器31が点灯せず使い勝手が良い。
或いは、一端１ａ側へのスライド規制状態からペン本体１を僅かにペン軸心Ｌ廻りの一方向に僅かに回転させて、図５に示すように、接触子28と第１端子部51の螺合状態かつ接触子28と第２端子部52の非接触状態にすることで、キャップスライド阻止状態かつ消灯状態となって、キャップ体２のスライドを気にせず筆記を行うことができる。
【００２９】
さらに、プレゼンテーションや講演会等でメモの途中に、周囲が暗くなった場合は、キャップ体２を一方向に回転させて螺進させ、図６に示すように、接触子28の雌ネジ開口側端面60ａが円筒状部材62の端面62ａに接触して通電し、図７に示すように、照明器31が点灯し、光透過部32を介してボールペン先部11及び記録用紙を照らし、暗い中でも筆記を継続できる。周囲が明るくなれば、キャップ体２を他方向に回転させることで照明器31が消灯する。
つまり、キャップ体２を取り外すような手間がいらず、ノック式や回動式に比べて、カチカチと操作音がせず、迅速かつ静かに点灯と消灯を切り換えることができる。
また、筆記中に限らず、懐中電灯のようにペンライトとしても使用可能である。
【００３０】
また、文具店等で購入予定者が見たときに、ボールペン先部11とタッチペン先部12があるのは容易に理解されるが、照明器31が外部に露出されておらず、ノック式や回動式のスイッチが無く、さらに、キャップ体２の内部で、接触子28と第１端子部51及び第２端子部52が接触するため、外部から点灯・消灯のタイミングや構造が一目で理解できず、驚きや感動、興味を与えるサプライズ効果や演出効果が得られ、購買予定者の購買意欲を向上させる。
【００３１】
なお、本発明において、説明を容易にするために、ペン本体１を固定とし、キャップ体２をスライドや回転させて点灯・消灯する場合を説明しているが、ペン本体１とキャップ体２とをペン軸心Ｌ方向に相互に接近・離間させて、或いは、キャップ体２を固定としてペン本体１をキャップ体２に対して抜き差しするも良く、また、キャップ体２とペン本体１を相互にペン軸心Ｌ廻りの異なる方向に回転させて、或いは、キャップ体２を固定としてペン本体１を回転させて、照明器31を点灯・消灯可能である。
即ち、キャップ体２のスライドとは、ペン本体１をキャップ体２に対して相対的に固定とし、キャップ体２をペン本体１に対して相対的にスライドさせることであり、キャップ体２の回転とは、ペン本体１をキャップ体２に対して相対的に固定とし、キャップ体２をペン本体１に対して相対的に回転させることであり、キャップ体２のみを動かして使用することに（使用状態を）限定するものではない。
【００３２】
本発明は、設計変更可能であって、円形状芯部材61は円柱状でも円筒状でも良い。第１端子部51と蓄電池Ｂとを通電可能に接続する電気的接続構造、第２端子部52と蓄電池Ｂとを通電可能に接続する電気的接続構造、照明器31と蓄電池Ｂとを通電可能に接続する電気的接続構造、第１端子部51及び第２端子部52の一方又は両方を照明器31を介して蓄電池Ｂに通電可能に接続する電気的接続構造、絶縁構造は、図例に限らず自由であって、例えば、円形状芯部材61を導電性部材を介して蓄電池Ｂに接続することや、各電気的接続構造に導線や導体線材を用いて電気的接続するも良い。
【００３３】
以上のように、本発明のボールペンは、ボールペン先部11を一端１ａに有するペン本体１と、ペン本体１に一端１ａ側から被せて装着可能なキャップ体２と、を備え、ペン本体１は、内部に、照明器31と照明器31に電力を供給するための蓄電池Ｂとを有し、さらに、ボールペン先部11の近傍に、照明器31からの照明光をペン本体１の外部に透過させるための光透過部32を有するボールペンに於て、ペン本体１の他端１ｂにタッチペン先部12を設けると共に、蓄電池Ｂの陽極及び陰極の一方に通電可能に接続されると共に雄ネジ部61ｄを有する第１端子部51と、蓄電池Ｂの陽極及び陰極の他方に通電可能に接続された第２端子部52とを、タッチペン先部12の近傍に設け、ペン本体１の他端１ｂ側からキャップ体２を被せて一端１ａ側へスライドさせることで、キャップ体２の奥部２ｂ側に設けられると共に雌ネジ部60ｄを有する接触子28が、第１端子部51に当接し、接触子28と第１端子部51の当接状態でキャップ体２を回転させることで、接触子28の雌ネジ部60ｄが、第１端子部51の雄ネジ部61ｄに螺合し、キャップ体２を螺進させることで、第１端子部51と螺合状態の接触子28が第２端子部52に接触して通電し、照明器31が点灯するように構成したので、ボールペンとペンライトとタッチペンの３つの機能を兼ね、ペンライトと、ボールペンと、タッチペンとを、夫々、個別に携帯する必要が無くなる。タッチペン先部12をタッチパネルに押圧や摺接させても照明器31が点灯せず使い勝手が良い（誤作動がない）。ノック式スイッチや回動式スイッチが無いにも関わらず、キャップ体２を被せて回転させることで照明器31が点灯するため、購入予定者に興味をもたれやすくなって（従来のボールペンとの差別化ができ）、購買意欲を向上させることができる。また、接触子28と第１端子部51を螺合状態に、かつ、接触子28と第２端子部52の非接触状態にすることで、キャップ体２のスライドを防止しながらも、消灯状態で筆記できる。
【００３４】
また、第１端子部51に接触子28が当接してから、キャップ体２を４分の１回転乃至１回転半だけ回転させて螺進させることで、接触子28が第２端子部52に接触して、通電するように構成したので、照明点灯状態と無点灯状態を容易かつ迅速に切り換えることができる。また、筆記中に不用意に照明器31が点灯するのを防止できる。
【００３５】
また、接触子28は、雌ネジ部60ｄと雌ネジ開口側端面60ａを有し、第１端子部51は、雄ネジ部61ｄを有する円形状芯部材61から成り、第２端子部52は、円形状芯部材61に絶縁層90を介して外嵌状に配設される円筒状部材62から成り、円筒状部材62の端面62ａを、円形状芯部材61の端面61ａよりも一端１ａ側に配設し、接触子28の雌ネジ部60ｄが円形状芯部材61の雄ネジ部61ｄに螺合すると共に、接触子28の雌ネジ開口側端面60ａが円筒状部材62の端面62ａに接触して、通電するように構成したので、ペン本体１側に複雑なスイッチ機構を設ける必要がなく、簡素な構造で、容易かつ迅速に製造できる。
【符号の説明】
【００３６】
１  ペン本体
１ａ  一端
１ｂ  他端
２  キャップ体
２ｂ  奥部
10  ペンケーシング
11  ボールペン先部
12  タッチペン先部
28  接触子
31  照明器
32  光透過部
51  第１端子部
52  第２端子部
60  筒状部
60ａ  雌ネジ開口側端面
60ｄ  雌ネジ部
61  円形状芯部材
61ａ  端面
61ｄ  雄ネジ部
62  円筒状部材
62ａ  端面
90  絶縁層
Ｂ  蓄電池
【図１】
0005968407.tif 000002
【図２】
0005968407.tif 000003
【図３】
0005968407.tif 000004
【図４】
0005968407.tif 000005
【図５】
0005968407.tif 000006
【図６】
0005968407.tif 000007
【図７】
0005968407.tif 000008
【図８】
0005968407.tif 000009